(57)【要約】【課題】  空気調和機の室内機は室内を循環する空気中のホコリや油分により長期運転により内部が汚れ、汚染物質が運転中吹出すなどの問題があった。【解決手段】  本体の内部に収納され回転して風を送風する送風機と、送風機から送風された風を導く風路の本体出口近傍に固定され風路を形成するとともに複数の板状部品を回動して本体から吹出される風の方向を変更可能な風向き変更装置と、風向き変更装置の複数の板状部品を風路から脱着させる又は風路の端の方向に可動させるように風向き変更装置に設けられ風向き変更装置の固定状態を解除する風向き変更装置脱着手段と、を備え、風路を開放可能にしたので本体内部を直接清掃でき、いつでも省エネ運転が可能で、衛生的な装置が得られる。【選択図】        図１
2004212044.tif 000002
【特許請求の範囲】
【請求項１】
本体の内部に収納され回転して風を送風する送風機と、前記送風機から送風された風を風路から吹出す吹出し口近傍のパネル、ドレンパンなどに取り付けられ前記風路を形成し複数の板状部品を回動して前記本体から吹出される風の方向を変更可能な風向き変更装置と、前記風向き変更装置の複数の板状部品を前記風路から脱着させるまたは前記風路の端の方向に可動させるように前記風向き変更装置に設けられ前記風向き変更装置の固定状態を解除する風向き変更装置脱着手段と、前記風向き変更装置に取りつけられマイコンなどを取り付けた基板で構成される電装品と、を備え、前記風向き変更装置の前記パネルもしくは前記ドレンパン裏面に接触する面に前記電装品の基板を取り付けられるようにしたことを特徴とする空気調和機。
【請求項２】
前記風向き変更装置を取り付けたノズルを前記風路に挿入して前記風路の本体出口近傍に吹出し口を形成させ、前記基板を前記吹出口に沿って細長い形状ことを特徴とする請求項１記載の空気調和機。
【請求項３】
本体の内部に収納され回転して風を送風する送風機と、前記送風機から送風された風を導く風路の本体出口近傍に固定され前記風路を形成し複数の板状部品を回動して前記本体から吹出される風の方向を変更可能な風向き変更装置と、前記送風機や前記風向き変更装置の制御に使用しマイコンなどを取り付けた基盤を収納する電装品と、を備えた空気調和機において、前記電装品を、前記風向き変更装置に取り付け、前記風向き変更装置をはずす際に前記電装品を一緒にはずすことを特徴とする空気調和機。
【請求項４】
前記風向き変更装置もしくは前記ノズルに温度などを検出する検出素子を取りつけ前記風向き変更装置もしくは前記ノズルと一緒に外すことを特徴とする請求項１乃至３のいずれかに記載の空気調和機。
【請求項５】
本体の内部に収納され回転して風を送風する送風機と、前記送風機から送風された風を導く風路の本体出口近傍に固定され前記風路を形成し複数の板状部品を回動して前記本体から吹出される風の方向を変更可能な風向き変更装置と、前記風向き変更装置の複数の板状部品が取りつけられ、前記本体内部を清掃時は前記複数の板状部品とともに回動され前記風路を開放する様に位置を変更するベーンベースと、制御に使用するマイコンなどを取り付けた基盤を収納する前記風路とはケーシングで分けられた異なる位置に配置された電装品と、前記風路内に噴霧または飛散される洗浄液の前記電装品への侵入を防止する液体防止手段と、を備えたことを特徴とする空気調和機。
【請求項６】
本体の内部に収納され回転して風を送風する送風機と、前記送風機から送風された風を導く風路の本体出口近傍に固定され前記風路を形成し複数の板状部品を回動して前記本体から吹出される風の方向を変更可能な風向き変更装置と、本体内部に設けられ制御に使用しマイコンなどを取り付けた基盤を収納する電装品と、を備えた空気調和機において、前記風向き変更装置を取り付けたノズルを前記風路に挿入して前記風路の本体出口近傍に吹出し口を形成させるステップと、前記ノズルを前記風路からはずし前記本体内部を清掃する際前記ノズルに設けられた前記電装品を一緒にはずすステップと、を備えたことを特徴とする空気調和機の清掃方法。
【請求項７】
前記ノズルを前記風路から外す際に前記電装品は配線などをつなげたまま一緒に外し、前記風路の清掃を行うステップと、を備えたことを特徴とする請求項６記載の空気調和機の清掃方法。
【発明の詳細な説明】
【技術分野】
【０００１】
本発明は、空気調和機の送風機などの各部品に付着した塵埃や汚れ等を容易に取り除くことが出来る技術に関するものである。
【背景技術】
【０００２】
従来この種の装置として、熱交換器上流に空気清浄機能を備えたフィルターなどを設け、熱交換器や横流ファンなどへの埃などによる汚れが付着するのを少なくしている。フィルターの場合汚れがひどくなると目詰まりにより空気が流れにくくなるので定期的な清掃が必要であり、空気調和機の室内機などは下方からこのフィルターを容易に着脱できる構造が多く提案されている。
【発明の開示】
【発明が解決しようとする課題】
【０００３】
上記の様な従来のフィルターにより空調機の内部の汚れを防ぐ対策では比較的大きな埃は除去できるが小さな埃や油などは除去できない。この油が熱交換器のフィンや横流ファンの羽根などに付着した場合さらにごみが付着し、性能の低下をもたらすばかりでなく、空調機から吹出してくる空気が不衛生となる課題がある。より小さな埃などを防ごうとより細かな目のフィルターを使用すると早く目詰まりしてしまいフィルター清掃に手間がかかることになる。さらにたとえフィルターを装着していても空調機の内部の汚れは使用時間が長くなればなるほどひどくなり、熱交換器やファンは本格的な洗浄が必要であるが、構造が複雑で専門家でも時間がかかることになる。又、内部には電装品のように洗浄液が侵入すると絶縁の問題が起こるなどの課題もあり空調機の内部を本格的に洗浄することはなかなか行われていないため、衛生上の課題が残ることになる。
【０００４】
本発明は、上記した従来の問題点を解消するためになされたもので、空調機の構成部品を簡単に分解可能として清掃を容易に行えるようにしたものである。又本発明は空調機の安全性と信頼性を高める構造を提案するものである。さらに又本発明は良好な衛生状態の維持と性能の維持が容易な簡単な清掃方法を提案するものである。
【課題を解決するための手段】
【０００５】
本発明は、本体の内部に収納され回転して風を送風する送風機と、送風機から送風された風を導く風路の本体出口近傍に固定され風路を形成するとともに複数の板状部品を回動して本体から吹出される風の方向を変更可能な風向き変更装置と、風向き変更装置の複数の板状部品を風路から脱着させる又は風路の端の方向に可動させるように風向き変更装置に設けられ風向き変更装置の固定状態を解除する風向き変更装置脱着手段と、を備え、風路を開放可能にしたものである。
【０００６】
本発明の風向き変更装置は上下方向へ風向きを変える上下フラップ及び左右方向へ風向きを変える左右ベーンの少なくともいずれか一方を有すると共に、この上下フラップ及び左右ベーンの少なくともいずれか一方を脱着又は可動可能である。
【０００７】
本発明は、風路を形成する風向き変更装置の複数の板状部品を風向き変更装置から脱着又は可動可能なものである。
【０００８】
本発明は、本体の内部に収納され回転して風を送風する送風機と、送風機から送風された風を導く風路を形成するとともに複数の板状部品を回動して本体から吹出される風の方向を変更可能な風向き変更装置と、風路出口近傍に設けられ風向き変更装置が取り付けられたノズルと、を備え、ノズルはパネル、ケーシング、ドレンパンの内の少なくともひとつを含む風路構成品から脱着可能なものである。
【０００９】
本発明は、基板などで構成される電装品又はセンサーは風向き変更装置又はノズルに取り付けられ、風向き変更装置又はノズルと共に脱着又は可動可能である。
【００１０】
本発明は、本体の内部に収納され回転して熱交換器を通過した風を送風する送風機と、送風機から送風された風を導く風路を形成するとともに複数の板状部品を回動して本体から吹出される風の方向を変更可能な風向き変更装置と、熱交換器、送風機、風向き変更装置からなる通風回路とは異なる位置で本体内に配置された電装品と、電装品と通風回路の間に設けられ、通風回路内に噴霧又は飛散される洗浄液の電装品への侵入を防止する液体防止手段と、を備えたものである。
【００１１】
本発明は、熱交換器の内部を流れる冷媒がＨＦＣ系又はＨＣ系冷媒である。
【００１２】
本発明は、本体の内部に収納され回転して風を送風する送風機と、送風機から送風された風を導く風路の吹出口を形成すると共に複数の板状部品を回動して本体から吹出される風の方向を変更可能な風向き変更装置と、風向き変更装置に取り付けられ又は風向き変更装置に覆われて取り付けられ、吹出口に沿って細長い形状を有する基板で構成される電装品と、を備え、風向き変更装置は脱着又は可動可能である。
【００１３】
本発明は、開放された風路を介して外部から直接送風機を清掃可能なものである。
【００１４】
本発明は、空気調和機の送風機からの吹出し風の風向きを変更する吹出口近傍に設けられた風向き変更装置を脱着又は可動するステップと、風向き変更装置の位置を変更して送風機と吹出口の間の風路を開放するステップと、開放された風路を介して送風機の清掃を前記吹出口から行うステップと、を備えたものである。
【００１５】
本発明は、空気調和機の送風機からの吹出し風の風向きを変更する吹出口近傍に設けられた風向き変更装置を脱着又は可動するステップと、風向き変更装置である上下方向へ風向きを変える上下フラップ及び左右方向へ風向きを変える左右ベーンの少なくともいずれか一方を送風機と吹出口の間の風路から取り出すステップと、上下方向へ風向きを変える上下フラップ及び左右方向へ風向きを変える左右ベーンの少なくともいずれか一方を空気調和機の外部で洗浄するステップと、を備えたものである。
【００１６】
本発明は、風向き変更装置である上下方向へ風向きを変える上下フラップ又は左右方向へ風向きを変える左右ベーンを回動させる駆動手段を風向き変更装置を脱着又は可動する際に上下フラップ又は左右ベーンと切り離すステップと、を備えたものである。
【発明の効果】
【００１７】
本発明は、本体の内部に収納され回転して風を送風する送風機と、送風機から送風された風を導く風路の本体出口近傍に固定され風路を形成するとともに複数の板状部品を回動して本体から吹出される風の方向を変更可能な風向き変更装置と、風向き変更装置の複数の板状部品を風路から脱着させる又は風路の端の方向に可動させるように風向き変更装置に設けられ風向き変更装置の固定状態を解除する風向き変更装置脱着手段と、を備え、風路を開放可能にしたので本体内部を直接清掃でき、いつでも省エネ運転が可能で、衛生的な装置が得られる。
【００１８】
本発明は、基板などで構成される電装品又センサーは風向き変更装置又はノズルに取り付けられ、風向き変更装置又はノズルと共に脱着又は可動可能であり、取り扱いに便利で信頼性の高い装置が得られる。
【発明を実施するための最良の形態】
【００１９】
実施の形態１．
以下この発明の実施の形態に付いて図１−７にて説明する。図１は空気調和機の断面説明図、図２は室内機本体の外観説明図、図３は接合構造を示す部分説明図、図４は上下フラップの脱着方法説明図、図５は左右ベーンの脱着方法説明図、図６は左右ベーンの脱着方法構造説明図、図７は風向き変更装置の脱着構造説明図である。１は室内機本体１０の内部に収納されてグリル１１から吸い込んだ空気を冷却したり暖めたりする熱交換器であって伝熱管とその周囲を取り巻くフィンからなりこの熱交換器は圧縮機や膨張弁などの冷凍サイクルの一部を構成し、この伝熱管の内部を冷凍サイクルを循環する冷媒が流れ空気と温冷熱を交換している。２はモーターにより駆動されて回転し吸い込んだ空気を風向き変更装置１２へ吹出す送風機である横流ファン、３は風路４を形成するケーシング、５は風向き変更装置１２を構成し左右方向へ風向きを変える左右ベーン、６は風向き変更装置１２を構成し上下方向へ風向きを変える上下フラップ、７は本体１０を構成するパネル、１４は熱交換器１の表面に発生する水滴を保持するドレンパン、２２はフィルターである。８はベーンベース係止ピン２３により固定されたベーンベース、９はノズル固定部１５で固定されているノズル、１３及び３０は電装品、２１はグリル係合部、２４はグリル係止部、２６はフラップ駆動用軸、２７は穴部、２８はスライダー、２９は左右ベーン駆動軸である。
【００２０】
図１においてモータにより駆動される横流ファン２が回転すると室内の空気を室内機本体１０の前面に取り付けたグリル１１及び上面のパネル７の部分から吸い込んでフィルター２２にて埃などが除去される。吸い込まれた空気は熱交換器の板状フィンの間をとおり空気と冷媒の間で熱交換されて空気は冷却又は温められる。この熱交換器１、送風機２、風路４、風向き変更装置１２にて本体１０の内部でケーシング３、ドレンパン１４、パネル７などにより通風回路を形成している。吸い込まれた空気中の埃や油はフィルター２２で除かれるが、ここで除去できない分は熱交換器１０のフィン部分や、横流ファン２の羽根部分、ケーシング３の表面部分、風向き変更装置１２の左右ベーン５や上下フラップの板状片の表面部分等通風回路の各個所に付着しへばりつく。
【００２１】
図２は室内機本体１０を前面から見た外観説明図であり、グリル１１をはずしフィルター２２を露出した状態を中央に、はずしたグリル１１を上側に示す。９はノズルであって、通風回路の吹出口を形成し、パネル７に点線で示すようにはめ込まれており、パネル７からはずしたノズル９の構造を下側の図で示す。ノズルは後ろ側を風路４に挿入してドレンパン１４に引っ掛け、パネル７に沿うように上側に押し上げるとパネル７に設けてある突起と、ノズル９の内側は凹に外側は凸になっているノズル固定部１５に勘合してノズル９はパネル７に固定される。室内機本体には右端に電装品１３が弾性爪によって点線のように固定されている。これを取り出した構造を図２の右側に示している。この電装品はマイコンなどを取り付けた基板類や素子などの部品が収納され、空調機の制御に使用される。なお電装品はボックス形状で本体１０の横端に設置する例で説明したが、図２の下側の図に示すようにノズル９に電装品３０を設けてもよい。
【００２２】
図２の構造でノズル９には風向き変更装置である上下フラップ６が取り付けられており、ノズル９をパネル７から脱着するとこの上下フラップ６及びこの上下フラップを駆動するモーターなどを同時にはずすことになる。本体１０からグリル１１、ノズル９、電装品１３をはずした状態では、図のようにフィルター２２が剥き出しとなり、このフィルターを除去することにより熱交換器が露出する。したがって直接ブラシにより熱交換器の汚れを取り除くことが出来る。長期間使用された熱交換器は吸い込み側の表面の汚れが著しくこの清掃により大半の汚れを落とすことが出来る。さらに、電装品のような洗浄液に対する問題となる部品を単独であるいはノズルと一緒に取り除くので熱交換器表面に洗浄液を吹きかけて清掃することも可能である。洗浄液は通風回路を流れるがノズル９を取り去り風路４が開放されているため容易に内部の掃除を行うことが出来る。さらに又ノズル単体は空調機の外部で直接ブラシを掛けることが出来る。これにより、上下フラップの表と裏の面は丁寧に汚れを除去できるし、その他の部品に付着した油も布でぬぐうことが出来る。
【００２３】
図３はパネル７からグリル１１を着脱する構造を説明する部分図で、パネル７にも受けられたグリル係止部２４にグリル１１のグリル係合部２１が挿入されて嵌合し回動できるようになっている。グリルを回動して一番上まで上げるとグリル係合部２１はグリル係止部２４から簡単にはずすことが出来る。
【００２４】
上記は風向き変更装置１２の全体を一括して脱着させる構造を説明してきたが、以下にそれぞれの部品を脱着させて風路を開放させる構造を説明する。図４は上下フラップ６を風向き変更装置からはずす脱着方法説明図であり、（ａ）はパネル７にグリル１１と上下フラップ６が装着されている状態の図であって、上下フラップ６は吹出口を閉鎖する位置であることを示している。図４（ｂ）は上下フラップ６とそれを支えるパネル７に固定される構造を含めた風向き変更装置１２の図面で、枠体に支持された上下フラップ駆動軸２６がモータにより駆動されて回動すると軸と一体の上下フラップ６が回転して風向きを変えることが出来る。風向き変更装置１２の枠体に穴部２７が固定されており、この穴部へ上下フラップの板状の部品上に図の左端と中央部に２箇所スライドできるように設けられスライダー２８がバネなどの弾性力により挿入されていることが図４（ｂ）に示されている。この状態から図４（ｃ）のごとく中央のスライダーの軸部を穴部２７から右に弾性力に抗してスライドさせて穴と軸の掛りをはずすと共に、図４（ｄ）のごとく左端においてもスライダーの軸部を穴部２７から右にスライドさせて穴と軸の掛りをはずす。これにより板状部材の左側への動きが自由になるため、ず４（ｅ）のごとくフラップの板状部材全体を左に動かして、板状部材と枠体との右端係合部から軸の掛をはずすことが出来る。なおこの右端のかかりは特にスライダーを設ける必要はない。同様な作業で二枚目の板状部材をはずせば上下フラップ６が本体１０から取り出すことが出来、このフラップの清掃は外部で簡単に行え、出口側の汚れを除去できる。さらにパネル７の吹出口に設けられた風向き変更装置１２がのぞかれて風路４が開放され、空調機の内部の清掃が簡単に行える。
【００２５】
図５、図６にて左右ベーンの脱着について説明する。風向き変更装置１２のドレンパンなどとの取り付け面である枠体に面接触して係合しているベーンベース８が設けられており、このベーンベース８は中央で二つに分割していると共に両端部で枠体にベーンベース係止ピンで回動可能に留められている。運転中はベーンベース８は枠体のくぼみにベーンベース８の弾性により面で押し付けられているが、分解するときは中央部でこの嵌めあいをはずし両側の端の方向へ可動させるとこのベーンベースに固定されている左右ベーンの複数の板状部品は二つに分かれたブロックとして吹出口の端側にはずされる。これにより空調機の外部に突出した左右ベーンを布などでこすり汚れを取ることが容易になる。さらに左右ベーンを可動させて端に追いやり、風路の中央部を開放したのでこの中央部から掃除機の先端の吸込口にブラシをつけたもので空調機内部の横流ファンを丁寧に掃除することも出来、すなわち通風回路全体に掃除の道具を接触させることが可能になる。なお左右ベーン駆動軸２９は駆動モータとの接続部は、ベーンベース８がベーンベース係止部を中心に回転するときに中央側に動いてモーターとベーンベース駆動軸が外れ、又再度組み立てられる際には反対に動いて結合することになる。
【００２６】
上記説明では板状部品を吹出口から除いたり可動させて風路を開放させる構造を説明したが、図７では風向き変更装置１２を一括して取り外す構成を示す。図７の風向き変更装置１２は枠体に上下フラップ６が回転軸を介して取り付けられている。又左右ベーン５はベーンベース８と一緒に枠体に一体に固定されている。この枠体の奥側の先端は風路４を形成するケーシング３又はドレンパン１４の嵌合部に差し込まれ、かつ入り口側の爪でパネル７に食い込んで動かないように固定されている。この爪を工具によりはずしたり爪部を押し込むことにより、風向き変更装置１２を一括して脱着させることが出来る。これにより横流ファン下流の風路が開放され吹出口が横流ファンや風路及び外部に取り出した風向き変更装置１２を一括して簡単に清掃できる。この構造の場合ドレン水の排水機能を備えたドレンパン１４は本体側へ残すので熱交換器の洗浄を行う場合でも熱交換器を洗った洗浄水を排水することが容易である。なお図７では図中に吹出口をまたぐ形でパネルに中央アームを設ける図で説明をしているがこのような支柱は清掃の際掃除機を風路に突っ込む邪魔にならない位置に設けておけばよい。
【００２７】
又図２ではノズルに基板などで構成される電装品３０及び温度や湿度、あるいはホコリ、人体などの検出素子などの各種センサー類を取り付ける構成を示したが、風向き変更装置１２に一括して取り付けておくことにより、配線端末の処理だけ行えば部品をはずした後の熱交換器などの本体洗浄の際に洗浄液がかからないことになる。又、図２とは異なり電装品１３を取り外すことをしない構造では、ケーシングで分けられている通風回路と電装品１３との間に洗浄水が漏れないようにケーシングの構造を完全に電装品を分離する構造にしてシールしたり、透明な板で覆ったり、リブで囲むことにより絶縁などへの悪影響を防ぐことが出来る。一方ノズル９や風向き変更装置１２に電装品などを収納する場合は、パネルやドレンパン裏面に接触する面に基板類が取り付けられるようにしておけば、表面からは見えないと共に、簡易的な洗浄を行う場合でも悪影響を受けることがない。
【００２８】
なお熱交換器の伝熱管の中を流れる冷媒がＨＦＣ系冷媒、例えばＲ４１０Ａ，Ｒ４０７Ｃ，Ｒ３２などの冷媒であり、又圧縮機用潤滑油はアルキルベンゼン系油、ポリオールエーテル系油、エステル系油、テフロン（Ｒ）系油等が使われる。あるいは冷媒がＨＣ系冷媒、例えばＲ５０，Ｒ１７０，Ｒ２９０，Ｒ６００，Ｒ６００ａ，Ｒ１１５０，Ｒ１２７０などの冷媒であり、又圧縮機用潤滑油はアルキルベンゼン系油、ポリオールエーテル系油、エステル系油、テフロン（Ｒ）系油等が使われる。このような場合でも空調機が簡単に清掃できるのでホコリなどによる熱交換器や横流ファンの通風抵抗増大に伴う循環風量の低下を防ぐことが出来る。これにより暖房時に冷凍サイクル内部で冷媒の圧力上昇が高まることを未然に防止できる。この結果配管に対する必要以上の圧力発生の問題がなくなり信頼性の高い装置が得られることになる。又通風が少なくなりファン特性や熱交換器の熱伝達への影響も防ぐことが出来、省エネルギーを考慮した最適設計の状態を運転中維持できるので電気代を安く維持できると共に騒音悪化も同様に防止できる。さらに各個所の目詰まりや通風抵抗の著しい悪化が防止できるので通風回路以外からのバイパス空気や２次空気の侵入がなくなり、この想定外の空気流入による悪影響、例えば性能低下やファン着露等も防止できる。
【００２９】
以上のようにこの発明では通風回路や風路清掃時に風路を構成する各部品の脱着又は可動を容易にしたので、空気調和機の熱交換器、横流ファン、等の風路構成部品に付着した汚れを容易に清掃出来るという効果がある。又汚れを除去することにより室内機の吹出口から飛び出る汚染物質が激減する。さらに通風回路を構成する部品や各機器の汚れにより通風抵抗が増大し風量が低下すること和簡単な清掃で防止することが出来、いつも省エネ状態で運転できる効果がある。さらに頻繁な清掃が簡単に行えるので、専門家による本格的な清掃の手間をほとんど省くことが出来、性能が高く手間のかからない機器の状態を長期間維持が出来る。なおグリル、ノズル、電装品などは上記説明のように嵌め合いや爪での結合、ネジなどにより脱着可能であり組立、解体が簡単でメインテナンス及び組立性が容易となり、さらにリサイクル性も向上するという効果がある。なおネジを設け簡単なねじ回しなどの工具を使用して組立分解できるが、弾性体による嵌め合いや爪での係合だけで上記発明の構造を得ることも出来、いずれにしろ誰でも簡単に、すなわちエアコンを利用している使用者が、脱着などの分解をして清掃し又その後で組み立てることが容易に出来る。
【００３０】
又上下フラップを清掃するために風路内から上下フラップを簡単に脱着又は可動できるので、上下フラップについた汚れを直接洗浄や清掃が行え、フラップに成長したカビなどの雑菌を除去できるという効果がある。
【００３１】
又左右ベーンを清掃するために、風路内から左右ベーンを簡単に脱着又は稼動できるので、左右ベーンについた汚れを直接洗浄することによりベーンに成長したカビなどの雑菌を除去できると共に臭いの発生源をなくすことが出来る。又横流ファンへブラシをつけた掃除器具などを近づけられ掃除作業がとても簡単となる。
【００３２】
本発明は以上のように、ノズルに付着した汚れ等も直接掃除作業が行えるし、又上下フラップ、左右ベーン、がノズルとさらに基板も一体となってユニット本体から脱着されるのでフラップやベーンのリンク機構及び配線などをつなげたまま一括してはずせはずしたものとはずされたユニット双方が簡単にかつ装置の信頼性を損なうことなく確実にカビなどを除去できる掃除が誰でも行える。すなわち空調機を洗浄する際に液体洗浄剤などを熱交換器に吹きかけたとしても基板にあたることなく、熱交換器を取り外すことなく容易に洗浄可能である。
【００３３】
冷凍サイクル内を循環する冷媒は空調機の予定された能力を発揮するような条件で運転が行われているが、空調機の汚れがひどくなると通風性能や伝熱性能が低下し能力を発揮できなくなる。極端な目詰まりでは通風回路以外の空気の流れにより本体内のさまざまな個所への異常、例えば各個所からのカビの発生やファン着露などをもたらす。又汚れによる特性の変化で予定された冷媒状況の運転範囲を超えた圧力などをもたらしトラブルの原因となる。特に圧力上昇の変化の大きい冷媒である、例えばＨＦＣやＨＣ系等の冷媒を使用する場合、事故のみならず異常音の原因ともなる。本発明のような簡単な洗浄によりこのような異常を未然に防止できる。
【００３４】
本発明の風向き変更装置は上下方向へ風向きを変える上下フラップ及び左右方向へ風向きを変える左右ベーンの少なくともいずれか一方を有すると共に、この上下フラップ及び左右ベーンの少なくともいずれか一方を脱着又は可動可能なので、風向き変更装置を直接清掃でき衛生的な装置が得られる。
【００３５】
本発明は風路を形成する風向き変更装置の複数の板状部品を風向き変更装置から脱着又は可動可能なもので複雑な構造の風向き変更装置でも簡単に清掃できる。
【００３６】
本発明は、本体の内部に収納され回転して風を送風する送風機と、送風機から送風された風を導く風路を形成するとともに複数の板状部品を回動して本体から吹出される風の方向を変更可能な風向き変更装置と、風路出口近傍に設けられ風向き変更装置が取り付けられたノズルと、を備え、ノズルはパネル、ケーシング、ドレンパンの内の少なくともひとつを含む風路構成品から脱着可能なので、簡単な構造で清潔で高い能力を維持できる信頼性の高い装置が得られる。
【００３７】
本発明は、本体の内部に収納され回転して熱交換器を通過した風を送風する送風機と、送風機から送風された風を導く風路を形成するとともに複数の板状部品を回動して本体から吹出される風の方向を変更可能な風向き変更装置と、熱交換器、送風機、風向き変更装置からなる通風回路とは異なる位置で本体内に配置された電装品と、電装品と通風回路の間に設けられ、通風回路内に噴霧又は飛散される洗浄液の電装品への侵入を防止する液体防止手段と、を備えたので、内部の洗浄に手間の掛からない装置が得られる。
【００３８】
本発明は、熱交換器の内部を流れる冷媒がＨＦＣ系又はＨＣ系冷媒であり簡単に本体の清掃が出来るので信頼性の高い装置が得られる。
【００３９】
本発明は、本体の内部に収納され回転して風を送風する送風機と、送風機から送風された風を導く風路の吹出口を形成すると共に複数の板状部品を回動して本体から吹出される風の方向を変更可能な風向き変更装置と、風向き変更装置に取り付けられ又は風向き変更装置に覆われて取り付けられ、吹出口に沿って細長い形状を有する基板で構成される電装品と、を備え、風向き変更装置は脱着又は可動可能であり、小型で使い勝手の良い装置が得られる。
【００４０】
本発明は、開放された風路を介して外部から直接送風機を清掃可能なものなので、誰でも簡単に清掃が出来、常に衛生的な装置が得られる。
【００４１】
本発明は、空気調和機の送風機からの吹出し風の風向きを変更する吹出口近傍に設けられた風向き変更装置を脱着又は可動するステップと、風向き変更装置の位置を変更して送風機と吹出口の間の風路を開放するステップと、開放された風路を介して送風機の清掃を前記吹出口から行うステップと、を備えたので、清潔な装置が可能な簡単な清掃方法が得られる。
【００４２】
本発明は、空気調和機の送風機からの吹出し風の風向きを変更する吹出口近傍に設けられた風向き変更装置を脱着又は可動するステップと、風向き変更装置である上下方向へ風向きを変える上下フラップ及び左右方向へ風向きを変える左右ベーンの少なくともいずれか一方を送風機と吹出口の間の風路から取り出すステップと、上下方向へ風向きを変える上下フラップ及び左右方向へ風向きを変える左右ベーンの少なくともいずれか一方を空気調和機の外部で洗浄するステップと、を備えたもので誰でも出来る清掃方法が得られる。
【００４３】
本発明は、風向き変更装置である上下方向へ風向きを変える上下フラップ又は左右方向へ風向きを変える左右ベーンを回動させる駆動手段を風向き変更装置を脱着又は可動する際に上下フラップ又は左右ベーンと切り離すステップと、を備えたのて゛、確実な清掃が可能な方法が得られる。
【図面の簡単な説明】
【００４４】
【図１】この発明における空気調和機の断面図。
【図２】この発明における空気調和機の機構を説明する図。
【図３】この発明における空気調和機の機構を説明する図。
【図４】この発明における空気調和機の機構を説明する図。
【図５】この発明における空気調和機の機構を説明する図。
【図６】この発明における空気調和機の機構を説明する図。
【図７】この発明における空気調和機の機構を説明する図。
【符号の説明】
【００４５】
１  熱交換器、  ２  横流ファン、  ３  ケーシング、  ４  通風路、  ５  左右風向ベーン、  ６  上下フラップ、  ７  パネル、  ８ベーンベース、  ９  ノズル、  １０  本体、  １１  グリル、  １２  風向き変更装置、  １３  電装品、  １４  ドレンパン、  １５  ノズル固定部、  ２１  グリル結合部、  ２２  フィルター、  ２３  ベーンベース係止ピン、  ２４  グリル係し部、  ２６  上下フラップ駆動用軸、  ２７  穴部、  ２８  スライダー、  ２９  左右ベーン駆動軸、  ３０  電装品。
【図１】
2004212044.tif 000003
【図２】
2004212044.tif 000004
【図３】
2004212044.tif 000005
【図４】
2004212044.tif 000006
【図５】
2004212044.tif 000007
【図６】
2004212044.tif 000008
【図７】
2004212044.tif 000009